(57)【要約】【課題】  紙のような質感の視認性を示す反射型ディスプレイ用表示パネル及び反射型ディスプレイを提供すること。【解決手段】  基材、電極層、画像表示層、透明電極層、及び表面層を備える反射型ディスプレイ用表示パネルにおいて、白色画像のａ＊が−４〜＋２、ｂ＊が−２〜＋４であることを特徴とする。【選択図】    図１
2005128222.tif 000002
【特許請求の範囲】
【請求項１】
基材、電極層、画像表示層、透明電極層、及び表面層を備える反射型ディスプレイ用表示パネルにおいて、白色画像のａ＊が−４〜＋２、ｂ＊が−２〜＋４であることを特徴とする反射型ディスプレイ用表示パネル。
【請求項２】
白色画像のＬ＊が６０％以上であることを特徴とする請求項１に記載の反射型ディスプレイ用表示パネル。
【請求項３】
前記画像表示層は、黒色粒子、白色粒子及びこれらを分散する分散媒を収容するマイクロカプセルを含むマイクロカプセル型表示層であり、前記白色画像は、前記透明電極層に印加される電圧に応じて前記白色粒子が電気泳動により前記透明電極層側に移動することにより表示されることを特徴とする請求項１又は２に記載の反射型ディスプレイ用表示パネル。
【請求項４】
前記表面層は、防眩ハードコート層、紫外線吸収層、及びガスバリア層からなる群から選ばれた少なくとも１種の機能層を有することを特徴とする請求項１〜３のいずれかに記載の反射型ディスプレイ用表示パネル。
【請求項５】
基材、電極層、画像表示層、透明電極層、及び表面層を備える反射型ディスプレイ用表示パネルと、前記電極層及び透明電極層に電圧を印加して前記画像表示層を駆動する駆動手段とを具備する反射型ディスプレイにおいて、白色画像のａ＊が−４〜＋２、ｂ＊が−２〜＋４であることを特徴とする反射型ディスプレイ。
【発明の詳細な説明】
【技術分野】
【０００１】
本発明は、紙のような質感の視認性を示す反射型ディスプレイ用表示パネル及び反射型ディスプレイに関する。
【背景技術】
【０００２】
フラットパネル表示装置として、現在、液晶ディスプレイ（ＬＣＤ）が、厚さが薄く、小型化が可能であることから、様々な用途において広範に使用されている。しかし、透過型ＬＣＤのような発光タイプのディスプレイは、目が疲労し易く、かつ視野角により光学特性が大きく変動するという問題がある。
【０００３】
このようなＬＣＤよりも更に薄型化、低消費電力化を目指す他の表示方式として、電気泳動現象を利用した表示装置が開発されている。
【０００４】
電気泳動現象を利用した表示装置の一つとして、マイクロカプセル型電気泳動方式が実用化されている。この方式の表示装置は、透明溶媒が満たされたマイクロカプセル中に正、負に帯電した白い粒子と黒い粒子を入れ、外部電圧の印加によってそれぞれの粒子を表示面に引き上げて画像を形成するものである。マイクロカプセルのサイズは径数十μｍ〜数百μｍと小さいので、このマイクロカプセルを透明なバインダに分散させると、インクのようにコーティングすることができる。このインクは、外部から電圧を印加することで画像を描くことができるので、電子インクと呼ばれる。
【０００５】
透明電極を形成した透明樹脂膜にこの電子インクをコーティングし、アクティブマトリクス駆動用の電極回路を形成した基板に貼り合わせると、例えば、特許文献１に示すような、アクティブマトリクスディスプレイパネルを得ることができる。
【０００６】
以上のようなマイクロカプセル型電気泳動式表示装置は、ＬＣＤに比べ、紙に近い質感の視認性が得られ、目の疲労が少ないといわれているが、その色味について未だ十分な解明がなされていない。
【特許文献１】特開２０００−２２１５４６号公報
【発明の開示】
【発明が解決しようとする課題】
【０００７】
本発明は、以上のような事情の下になされ、紙のような質感の視認性を示す反射型ディスプレイ用表示パネル及び反射型ディスプレイを提供することを目的とする。
【課題を解決するための手段】
【０００８】
上記課題を解決するため、本発明は、基材、電極層、画像表示層、透明電極層、及び表面層を備える反射型ディスプレイ用表示パネルにおいて、白色画像のａ＊が−４〜＋２、ｂ＊が−２〜＋４であることを特徴とする反射型ディスプレイ用表示パネルを提供する。
【０００９】
また、本発明は、基材、電極層、画像表示層、透明電極層、及び表面層を備える反射型ディスプレイ用表示パネルと、前記電極層及び透明電極層に電圧を印加して前記画像表示層を駆動する駆動手段とを具備する反射型ディスプレイにおいて、白色画像のａ＊が−４〜＋２、ｂ＊が−２〜＋４であることを特徴とする反射型ディスプレイを提供する。
【００１０】
以上のように構成される本発明の反射型ディスプレイ用表示パネル及び反射型ディスプレイによると、白色画像のａ＊が−４〜＋２、ｂ＊が−２〜＋４であることにより、紙のような質感の視認性を得ることが出来る。
【００１１】
即ち、本発明者は、反射型ディスプレイ用表示パネルについて、紙のような質感の視認性を得るための要件について、鋭意研究を重ねた結果、白色画像の色味、即ちａ＊が−４〜＋２、ｂ＊が−２〜＋４であることが必要であることを見出した。本発明は、このような知見に基づくものである。従って、白色画像のａ＊が−４〜＋２の範囲外、ｂ＊が−２〜＋４の範囲外のいずれであっても、紙のような質感の視認性を得ることが出来ない。
【００１２】
この場合、本発明の特徴をなすパラメーターである白色画像のａ＊、ｂ＊は、マイクロカプセル型表示パネルの場合、マイクロカプセルの配置、マイクロカプセル、白色粒子及び黒色粒子の粒径等を調整することにより、上記範囲の所望の値に制御することが可能である。  
なお、より好ましくは、ａ＊は−３〜＋１、ｂ＊は−１〜＋３であるのがよい。
【００１３】
本発明の反射型ディスプレイ用表示パネルにおいて、白色画像のＬ＊は、好ましくは６０％以上以上、より好ましくは６５％以上であることが望ましい。このような白色画像のＬ＊により、更に良好な紙のような質感の視認性を得ることが出来る。
【００１４】
また、本発明は、マイクロカプセル型表示パネルに好ましく適用され、即ち、画像表示層は、黒色粒子、白色粒子及びこれらを分散する分散媒を収容するマイクロカプセルを含むマイクロカプセル型表示層とすることが出来る。この場合、白色画像は、透明電極層に印加される電圧に応じて白色粒子が電気泳動により透明電極層側に移動することにより表示される。
【００１５】
なお、表面層は、防眩ハードコート層、紫外線吸収層、及びガスバリア層からなる群から選ばれた少なくとも１種の機能層を有する構成とすることが出来る。このような各種機能層により、それぞれの機能が発揮され、それによっても紙のような質感の視認性を得るの向上を図ることが出来る。
【発明の効果】
【００１６】
本発明によると、白色画像のａ＊が−４〜＋２、ｂ＊が−２〜＋４であるため、紙のような質感の視認性を示す反射型ディスプレイ用表示パネル及び反射型ディスプレイが提供される。
【発明を実施するための最良の形態】
【００１７】
以下、本発明を実施するための最良の形態について、図面を参照して具体的に説明する。
【００１８】
図１は、本発明の一形態に係るマイクロカプセル型電気泳動式表示パネルを示す断面図である。即ち、基材１上に、電極層２、第１の粘着層３、マイクロカプセル表示層４、透明電極層５、透明樹脂層６、第２の粘着層７、及び表面層８が順次積層されて、マイクロカプセル型電気泳動式表示パネルが構成されている。
【００１９】
図１に示すマイクロカプセル型電気泳動式表示パネルにおいて、マイクロカプセル表示層４は、表面に透明電極層（ＩＴＯ膜）５が形成されているポリエチレンテレフタレート等からなる透明樹脂層６の透明電極（ＩＴＯ）層５の面に、スクリーン印刷により電子インクを印刷することにより形成される。次いで、透明電極層（ＩＴＯ膜）５及びマイクロカプセル表示層４を有する透明樹脂層６は、第１の粘着層３を介して、表面に電極層２を有する基材１に貼りつけられる。なお、透明電極層５は、全面を同一の電位とする共通電極とすることが出来る。  
第１の粘着層３としては、公知の感圧接着剤や感熱接着剤を用いることが出来る。これらは、粘着面に剥離紙を有する片面粘着シート又は両面粘着シートの形で用いることが出来る。即ち、第１の粘着層３は、片面粘着シートの非粘着面を接着剤によりマイクロカプセル表示層３に貼るか、又は両面粘着シートの一方の剥離シートを剥がしてマイクロカプセル表示層４に貼ることにより形成することが出来る。
【００２０】
貼りつけは、例えば剥離紙を剥がして、第１の粘着層３の粘着面を基板１に貼り合せ、押圧又は加熱することにより行うことが出来る。基板１は、表面に電極層（図示せず）を備えるガラス基板又は樹脂フィルムであり、表面の電極層２が画素電極として画素毎に独立してパターニングされ、図示しない薄膜トランジスタ、信号電極、および走査電極が併設されたものを用いることが出来る。
【００２１】
次に、以上のようにして得た積層体の透明樹脂層６上に、第２の粘着層７を介して、表面層８を被着する。第２の粘着層７は、自己保持性が高い、シリコンゴム等の高弾性を有するものであるのが好ましい。高弾性を有する第２の粘着層７は、単なる接着作用だけではなく、衝撃を和らげるクッションとしての役割をも果たすことが出来る。
【００２２】
表面層８は、防眩ハードコート層、紫外線吸収層、及びガスバリア層からなる群から選ばれた少なくとも１種の機能層を含むものとすることが出来る。これらの機能層は、公知の材料を用い、公知の方法で成膜することが出来る。
【００２３】
以上説明したマイクロカプセル型電気泳動式表示パネルにおいて、マイクロカプセル表示層３に含まれるマイクロカプセルは、例えば図２に示すように、メタクリル酸樹脂、ユリア樹脂、アラビアゴム等をカプセル殻１１１とし、その内部に酸化チタンからなる白の粒子１１３とカーボンブラックからなる黒の粒子１１４が、シリコーンオイル等の粘性の高い分散媒１１２に分散された状態で封入されたものである。白の粒子１１３である酸化チタンは正電荷を帯びており、一方、黒の粒子１１４であるカーボンブラックは負電荷を帯びている。
【００２４】
このようなマイクロカプセル１１０を含むマイクロカプセル型電気泳動方式を用いた表示体は、次のようにして動作する。
【００２５】
即ち、図３の模式図に示すように、透明樹脂層６の側の透明電極層５と基材層１側の電極層２に電界を印加し、透明電極層５を負極、電極層２を正極とした場合、正に帯電した白の粒子１１３が透明電極層５側に引かれ、負に帯電した黒の粒子１１４は電極層２側に引かれるので、透明電極層５側の上方から観察するとその部分が白く見える。
【００２６】
逆に、透明電極層５が正極で、電極層２が負極になった場合には、正に帯電した白の粒子１１３が電極層２側に引かれ、黒の粒子１１４は透明電極層５側に引かれるので、透明電極層５側の上方から観察するとその部分が黒く見えることになる。
【００２７】
マイクロカプセル表示層４は、図４の側断面模式図に示すように、マイクロカプセル１１０を多数含んでおり、透明電極層５を同一電位の共通電極とし、電極層２の各アドレス電極の電界を制御することで、上述の原理に基づきマイクロカプセル内の粒子を移動させることで、所望の文字や図形を白と黒の画素として表示させることができる。
【００２８】
同様に、電極層２を共通電極とし（電位をゼロとする）、透明電極５側の各アドレス電極の電界を制御する（正または負の電位を与える）ことで、電極位置のマイクロカプセル内の粒子を移動させて、所望の画像を表示させるようにしてもよい。
【００２９】
マイクロカプセルの径は、種々のものを採用することが可能であるが、約４０μｍ〜約１００μｍのものを採用すると、十分な解像度と応答性を得ることができる。表示画像の解像度は、主として電極層中の電極の配置に依存するが、マイクロカプセルの径が小さければ分散媒中のマイクロカプセルの移動速度が速くなり、結果として表示の際の応答性に優れるというメリットがある。
【００３０】
ペーパー状電子ディスプレイは、可撓性を有する材料で作製し、電極等のパターニングも印刷法、蒸着法でプラスチックフィルムに形成することで、実現が可能となる。表示画面サイズも、用途、要望に応じて任意のサイズのものを作成することができる。
【００３１】
マイクロカプセル表示層４においては、マイクロカプセル１１０の位置配置は多少の変動があっても表示に問題は生じない。従って、折り曲げて使用したり、曲面の箇所に取付けて使用することなども可能である。
【００３２】
マイクロカプセル型電気泳動式表示パネルにおいて、各粒子は粘性の高い分散媒に分散されているため、一度電界を印加した後は、電源が切断されても粒子の位置は変化しない。このように、ディスプレイの電源を切っても表示画像が消えない不揮発性（メモリー性）を有するので、初期の表示や書き換え時のみ電界を印加すればよく、通常の表示装置に比べて表示に必要な電力も少なくてすみ、大幅な省電力化が可能である。
【００３３】
更に、表示パネル内においては、マイクロカプセル１１０の位置配置は多少の変動があっても表示に問題は生じない。従って、透明電極層５、電極層２を含め、ディスプレイ全体を薄く可携性を持たせる材料を用いることで、紙のような柔軟性を持たせることができる。
【００３４】
実施例
本発明の実施例に係るマイクロカプセル型電気泳動式表示パネルの色味を調べるため、以下のような試験を行った。
【００３５】
白紙、及び図５に示すような構成の、白紙１１の上に透明接着剤層１２を介してＰＥＴ−ＩＴＯ膜１３及び種々の保護シート１４を貼り付けた白紙サンプルを作成した。また、図６に示すような構成の、電極２２、透明接着剤層２３、マイクロカプセル２１を含むマイクロカプセル表示層２４、及びＰＥＴ−ＩＴＯ膜２５の積層体上に、種々の保護シート２６を備えるテストパネルサンプルを作成した。それらの構成を以下に示す。
【００３６】
白紙サンプル
白紙サンプル１：白紙１１
白紙サンプル２：ＰＥＴ−ＩＴＯ膜１３／透明接着剤層１２／白紙１１
白紙サンプル３：ＰＳ-Ａシート１４／ＰＥＴ−ＩＴＯ膜１３／透明接着剤層１２／白紙１１
白紙サンプル４：ＰＳ-Ｇシート１４／ＰＥＴ−ＩＴＯ膜１３／透明接着剤層１２／白紙１１
白紙サンプル５：ＰＳ-Ｂシート１４／ＰＥＴ−ＩＴＯ膜１３／透明接着剤層１２／白紙１１
白紙サンプル６：ＰＳ-Ｗシート１４／ＰＥＴ−ＩＴＯ膜１３／透明接着剤層１２／白紙１１
テストパネルサンプル
テストパネルサンプル１：ＰＳ-Ｇシート２６／ＰＥＴ−ＩＴＯ膜２５／マイクロカプセル表示層２４／透明接着剤層２３／電極２２
テストパネルサンプル２：ＰＳ-Ｇシート２６／ＰＥＴ−ＩＴＯ膜２５／マイクロカプセル表示層２４／透明接着剤層２３／電極２２
テストパネルサンプル３：ＰＳ-Ｇシート２６／ＰＥＴ−ＩＴＯ膜２５／マイクロカプセル表示層２４／透明接着剤層２３／電極２２
テストパネルサンプル４：ＰＳ-Ａシート２６／ＰＥＴ−ＩＴＯ膜２５／マイクロカプセル表示層２４／透明接着剤層２３／電極２２
以上の１０種のサンプルについて、Ｌ＊、ａ＊、ｂ＊をそれぞれ測定した。テストパネルサンプル１〜４については、電極層２２と透明電極層２５の間に電圧を印加して、マイクロカプセル表示層２４を駆動し、白色画像を表示して測定を行った。測定装置としては、反射型分光測色計（Ｘ−Ｒｉｔｅ９３８）を用いた。測定条件は、以下のとおりである。
【００３７】
測定条件
入射光：０°
受光  ：４５°
光源  ：Ｄ６５
視野角：１０°
背面  ：黒画用紙
測定結果を下記表に示す。
【表１】
2005128222.tif 000003
【００３８】
図７は、上記表１のデータを横軸ａ＊、縦軸ｂ＊の座標にプロットしたグラフである。
【００３９】
表１及び図７から、白紙１１上にＰＥＴ−ＩＴＯ膜１３及び保護シート（ＰＳ）１４を貼り付けた白紙サンプル３〜６は、いずれもｂ＊が４を超え、黄色味を帯びており、そのため紙のような質感の色味を得ることが出来ないことがわかる。これに対し、テストパネルサンプル１〜４は、マイクロカプセル表示層４上にＰＥＴ−ＩＴＯ膜５及び透明樹脂層（ＰＳ）６を貼り付けたにもかかわらず、ｂ＊が０〜３の範囲内にあり、またａ＊も−３〜０の範囲内にあって、いずれも紙のような質感の色味を得ることが出来ることがわかる。
【００４０】
なお、明るさＬ＊は、すべての白紙サンプル及びテストパネルサンプルにおいて、６５％以上が得られている。
【産業上の利用可能性】
【００４１】
本発明の反射型ディスプレイ用表示パネルは、紙のような質感の視認性を有しているため、様々な用途における表示パネルとして広範に利用可能である。
【図面の簡単な説明】
【００４２】
【図１】本発明の一形態に係るマイクロカプセル型電気泳動式表示パネルを示す断面図。
【図２】本発明の一形態に係るマイクロカプセル型電気泳動式表示パネルのマイクロカプセル表示層に含まれるマイクロカプセルを模式的に示す図。
【図３】本発明の一形態に係るマイクロカプセル型電気泳動式表示パネルのマイクロカプセル表示層の表示形態の一例を模式的に表す斜視図。
【図４】本発明の一形態に係るマイクロカプセル型電気泳動式表示パネルのマイクロカプセル表示層の表示形態の一例を模式的に表す側断面図。
【図５】本発明の実施例に用いた白紙サンプルの構成を示す断面図。
【図６】本発明の実施例に用いたテストパネルサンプルの構成を示す断面図。
【図７】表１のデータを横軸ａ＊、縦軸ｂ＊の座標にプロットして得た特性図。
【符号の説明】
【００４３】
１…基材層、２，２２…電極層、３，２３…第１の粘着層、４，２４…マイクロカプセル表示層、５，２５…透明電極層、６，２６…透明樹脂層、７…第２の粘着層、８…表面層、１１…白紙、１２…透明接着剤、１３…ＰＥＴ−ＩＴＯ膜、１４…保護シート、１１１…カプセル殻、１１２…分散媒、１１３…白の粒子、１１４…黒の粒子。
【図１】
2005128222.tif 000004
【図２】
2005128222.tif 000005
【図３】
2005128222.tif 000006
【図４】
2005128222.tif 000007
【図５】
2005128222.tif 000008
【図６】
2005128222.tif 000009
【図７】
2005128222.tif 000010